(57)【要約】【課題】  鼻詰まりの症状を緩和して呼吸を楽にする医療器具を提供する。【解決手段】    本考案の鼻刺激器はシリコン製の中空円筒体１を１個または２個有しており、一方の鼻腔または両方の鼻腔に円筒体をそれぞれ挿入して鼻腔を拡張させる。更に、円筒体１の下端部（鼻腔挿入時に外部に留まる円筒体部分）には鼻刺激器が鼻腔内に過度に押し込まれるのを防止する張出し周縁部３が提供されている。周縁部３には突出部４が一体的に提供されており、利用者の鼻翼外側を加圧することで鼻刺激器を安定させている。加えて、突出部４は鼻翼外側との接触により挙筋を刺激し、鼻呼吸を楽にする。【選択図】図１
0003135508.tif 000002
【実用新案登録請求の範囲】
【請求項１】
シリコン製の鼻刺激器であって、
鼻腔に挿入される、１個中空円筒体（１）、又は湾曲した連結部（５）によって中央が連結された２個の中空円筒体（１）を含んでおり、
当該円筒体（１）は、鼻腔内への過度の挿入を防止するために下端に張出した周縁部（３）を有しており、該周縁部（３）には突出部（４）が提供されており、
前記円筒体（１）の中央外側には、鼻腔挿入時に鼻中隔に面する小領域を除いて拡張部（２）が円周的に提供されており、該拡張部（２）は鼻内側と接触して鼻翼の挙筋を内側から刺激し、前記突出部（４）は鼻外側と接触して鼻翼の挙筋を外側から刺激し、前記拡張部（２）と前記突出部（４）とで鼻翼を加圧式に挟持することで、鼻翼の挙筋を刺激すると同時に、本鼻刺激器を安定保持させることを特徴とする鼻刺激器。
【考案の詳細な説明】
【技術分野】
【０００１】
本考案は鼻詰まりの症状を緩和して呼吸を楽にする医療器具に関する。
【背景技術】
【０００２】
鼻呼吸の不全は人を不快にする。これには様々な要因が考えられる。例えば鼻中隔彎曲症、鼻筋刺激不良症あるいは変形鼻軟骨症、等々である。本考案の鼻刺激器は鼻翼側壁の挙筋を拡張及び刺激する機能を有している。本考案の鼻刺激器はシリコン製の中空円筒体を１個または２個有しており、一方の鼻腔または両方の鼻腔に円筒体をそれぞれ挿入して鼻腔を拡張させることでこの問題に対処する。
【０００３】
鼻に欠陥構造を有する人々の呼吸問題を解消あるいは緩和させることを目的にした数多くの製品が市販されている。それら製品は鼻筋を拡張させ、所定の時間、通常の呼吸を可能にするように液体形態またはスプレー形態で鼻腔内に薬剤を注入するものである。
【考案の開示】
【考案が解決しようとする課題】
【０００４】
本考案は液体形態または噴霧形態のものではない。これら市販製品は長期使用には不向きであり、一種の中毒症状を引き起こす可能性も秘めている。本考案の鼻刺激器は円筒体を一方あるいは両方の鼻腔に挿入するものである。その円筒体は中空のシリコン製であり、鼻内スペースを拡張させるように拡張部を外周囲に有している。円筒体は鼻腔に挿入されると鼻翼部の挙筋を刺激し、鼻壁または鼻中隔の鼻軟骨形状を矯正する。この円筒体はそれぞれ鼻翼側壁外部と接触する突出部をその下縁部に有しており、鼻翼側壁の挙筋を刺激し、呼吸を改善する。すなわち、本考案の鼻刺激器は鼻呼吸を援助する器具である。
【０００５】
本考案の鼻刺激器は呼吸に問題を抱える全ての人を対象にするが、使用対象者には運動選手の呼吸改善目的並びに通常の矯正目的にでも利用できる。
【課題を解決するための手段】
【０００６】
本考案の鼻刺激器は約１ｃｍの長さの１個または２個の中空シリコン円筒体を備えている。これら円筒体は中央部で外側に張り出した拡張部を外周に有している。この拡張部は鼻腔内の鼻中隔に接する円筒体領域には提供されていない。この拡張部と鼻内部との接触は鼻翼部の挙筋を刺激する。拡張部は鼻腔スペースも物理的に拡張させる。
【０００７】
円筒体の下端周囲には張出し周縁部が提供されており、円筒体が鼻腔に挿入されたとき過度の侵入を阻止する。下端周縁部からは突出部が側方に突き出しており、鼻翼部外側と接触し、鼻の外側から鼻翼部の挙筋を刺激する。同時に、鼻の外側を加圧し、鼻刺激器の固定を可能にする。
【考案の効果】
【０００８】
鼻腔内側との拡張部の接触刺激と鼻翼部外側との突出部の接触刺激との相乗効果による鼻腔の拡張により患者の鼻呼吸は大幅に改善される。
【実施例】
【０００９】
（図面の簡単な説明）
図１は本考案の単円筒体型鼻刺激器で使用される円筒体の斜視図である。
図２は図１の円筒体の平面図である。
図３は図１の円筒体の正面図である。
図４は図３の円筒体のＥ−Ｅ線に沿った断面図である。
図５は本考案の双円筒体型鼻刺激器で使用される円筒体の斜視図である。
図６は図５の円筒体の平面図である。
図７は図５の円筒体の正面図である。
図８は図５の円筒体の側面図である。
【００１０】
本考案の第１実施例による鼻刺激器は図１から図４で示す円筒体１を含んでいる。この円筒体１は中空シリコン製である。円筒体１のほぼ中央外側周囲には張り出し形状の拡張部２が提供されている。拡張部２の役目は鼻腔内側から鼻翼部の挙筋を刺激することである。この刺激は拡張部２と鼻腔内側の接触により引き起こされ、呼吸を容易にする。円筒体の下端部（鼻腔挿入時に外部に留まる円筒体部分）には鼻刺激器が鼻腔内に過度に押し込まれるのを防止する張出し周縁部３が提供されている。周縁部３には突出部４が一体的に提供されており、利用者の鼻翼外側を加圧することで鼻刺激器を安定させている。加えて、突出部４は鼻翼外側との接触により挙筋を刺激し、鼻呼吸を楽にする。
【００１１】
本考案の第２実施例による鼻刺激器は同形でそれぞれ独立した２体の円筒体１を含む。それぞれの円筒体１はそれぞれの鼻腔に挿入される。円筒体寸法は限定的ではなく、利用者の鼻サイズに合わせて様々に構成することができる。例えば、図４において、円筒体の長さを１ｃｍ、内径Ｙを８ｍｍ、外径Ｘを１２ｍｍから１６ｍｍに構成することができる。
【００１２】
図５から図８にかけて図示する本考案の双円筒体型の第３実施例による鼻刺激器は一方の円筒体１の下端周縁部３から他の円筒体１の下端周縁部３にまで延び出て両円筒体１を連結する連結体５を含んでいる。この連結体５の長さは少々湾曲形状で両円筒部１をそれぞれの鼻腔に挿入させる長さに設計される。それぞれの円筒体は前述の拡張部２を含み、それぞれの周縁部３からは突出体４が延び出している。
【００１３】
以上、本考案の鼻刺激器を実施例に基づいて解説した。それらの変更や改良も本考案の範囲内である。本考案の真の範囲は請求の範囲に記載されたものである。
【図面の簡単な説明】
【００１４】
【図１】第１実施例の単円筒体型鼻刺激器で使用される円筒体の斜視図である。
【図２】図１の円筒体の平面図である。
【図３】図１の円筒体の正面図である。
【図４】図３の円筒体のＥ−Ｅ線に沿った断面図である。
【図５】実施例３の双円筒体型鼻刺激器で使用される円筒体の斜視図である。
【図６】図５の円筒体の平面図である。
【図７】図５の円筒体の正面図である。
【図８】図５の円筒体の側面図である。
【符号の説明】
【００１５】
１  中空円筒体
２  拡張部
３  周縁部
４  突出部
５  連結部
【図１】
0003135508.tif 000003
【図２】
0003135508.tif 000004
【図３】
0003135508.tif 000005
【図４】
0003135508.tif 000006
【図５】
0003135508.tif 000007
【図６】
0003135508.tif 000008
【図７】
0003135508.tif 000009
【図８】
0003135508.tif 000010
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
シリコン製の鼻腔筋持ち上げ器であって、
鼻腔に挿入される、１個中空円筒体（１）、又は湾曲した連結部（５）によって中央が連結された２個の中空円筒体（１）を含んでおり、
当該円筒体（１）は、鼻腔内への過度の挿入を防止するために下端に張出した周縁部（３）を有しており、該周縁部（３）には突出部（４）が提供されており、
前記円筒体（１）の中央外側には、鼻腔挿入時に鼻中隔に面する小領域を除いて拡張部（２）が円周的に提供されており、該拡張部（２）は鼻内側と接触して鼻翼の挙筋を内側から刺激し、前記突出部（４）は鼻外側と接触して鼻翼の挙筋を外側から刺激し、前記拡張部（２）と前記突出部（４）とで鼻翼を加圧式に挟持することで、鼻翼の挙筋を刺激すると同時に、本鼻腔筋持ち上げ器を安定保持させることを特徴とする鼻腔筋持ち上げ器。
【手続補正２】
【補正対象書類名】明細書
【補正対象項目名】全文
【補正方法】変更
【補正の内容】
【考案の詳細な説明】
【技術分野】
【０００１】
本考案は鼻詰まりの症状を緩和して呼吸を楽にする医療器具に関する。
【背景技術】
【０００２】
鼻呼吸の不全は人を不快にする。これには様々な要因が考えられる。例えば鼻中隔彎曲症、鼻筋刺激不良症あるいは変形鼻軟骨症、等々である。本考案の鼻腔筋持ち上げ器は鼻翼側壁の挙筋を拡張及び刺激する機能を有している。本考案の鼻腔筋持ち上げ器はシリコン製の中空円筒体を１個または２個有しており、一方の鼻腔または両方の鼻腔に円筒体をそれぞれ挿入して鼻腔を拡張させることでこの問題に対処する。
【０００３】
鼻に欠陥構造を有する人々の呼吸問題を解消あるいは緩和させることを目的にした数多くの製品が市販されている。それら製品は鼻筋を拡張させ、所定の時間、通常の呼吸を可能にするように液体形態またはスプレー形態で鼻腔内に薬剤を注入するものである。
【考案の開示】
【考案が解決しようとする課題】
【０００４】
本考案は液体形態または噴霧形態のものではない。これら市販製品は長期使用には不向きであり、一種の中毒症状を引き起こす可能性も秘めている。本考案の鼻腔筋持ち上げ器は円筒体を一方あるいは両方の鼻腔に挿入するものである。その円筒体は中空のシリコン製であり、鼻内スペースを拡張させるように拡張部を外周囲に有している。円筒体は鼻腔に挿入されると鼻翼部の挙筋を刺激し、鼻壁または鼻中隔の鼻軟骨形状を矯正する。この円筒体はそれぞれ鼻翼側壁外部と接触する突出部をその下縁部に有しており、鼻翼側壁の挙筋を刺激し、呼吸を改善する。すなわち、本考案の鼻腔筋持ち上げ器は鼻呼吸を援助する器具である。
【０００５】
本考案の鼻腔筋持ち上げ器は呼吸に問題を抱える全ての人を対象にするが、使用対象者には運動選手の呼吸改善目的並びに通常の矯正目的にでも利用できる。
【課題を解決するための手段】
【０００６】
本考案の鼻腔筋持ち上げ器は約１ｃｍの長さの１個または２個の中空シリコン円筒体を備えている。これら円筒体は中央部で外側に張り出した拡張部を外周に有している。この拡張部は鼻腔内の鼻中隔に接する円筒体領域には提供されていない。この拡張部と鼻内部との接触は鼻翼部の挙筋を刺激する。拡張部は鼻腔スペースも物理的に拡張させる。
【０００７】
円筒体の下端周囲には張出し周縁部が提供されており、円筒体が鼻腔に挿入されたとき過度の侵入を阻止する。下端周縁部からは突出部が側方に突き出しており、鼻翼部外側と接触し、鼻の外側から鼻翼部の挙筋を刺激する。同時に、鼻の外側を加圧し、鼻腔筋持ち上げ器の固定を可能にする。
【考案の効果】
【０００８】
鼻腔内側との拡張部の接触刺激と鼻翼部外側との突出部の接触刺激との相乗効果による鼻腔の拡張により患者の鼻呼吸は大幅に改善される。
【実施例】
【０００９】
（図面の簡単な説明）
図１は本考案の単円筒体型鼻腔筋持ち上げ器で使用される円筒体の斜視図である。
図２は図１の円筒体の平面図である。
図３は図１の円筒体の正面図である。
図４は図３の円筒体のＥ−Ｅ線に沿った断面図である。
図５は本考案の双円筒体型鼻腔筋持ち上げ器で使用される円筒体の斜視図である。
図６は図５の円筒体の平面図である。
図７は図５の円筒体の正面図である。
図８は図５の円筒体の側面図である。
【００１０】
本考案の第１実施例による鼻腔筋持ち上げ器は図１から図４で示す円筒体１を含んでいる。この円筒体１は中空シリコン製である。円筒体１のほぼ中央外側周囲には張り出し形状の拡張部２が提供されている。拡張部２の役目は鼻腔内側から鼻翼部の挙筋を刺激することである。この刺激は拡張部２と鼻腔内側の接触により引き起こされ、呼吸を容易にする。円筒体の下端部（鼻腔挿入時に外部に留まる円筒体部分）には鼻腔筋持ち上げ器が鼻腔内に過度に押し込まれるのを防止する張出し周縁部３が提供されている。周縁部３には突出部４が一体的に提供されており、利用者の鼻翼外側を加圧することで鼻腔筋持ち上げ器を安定させている。加えて、突出部４は鼻翼外側との接触により挙筋を刺激し、鼻呼吸を楽にする。
【００１１】
本考案の第２実施例による鼻腔筋持ち上げ器は同形でそれぞれ独立した２体の円筒体１を含む。それぞれの円筒体１はそれぞれの鼻腔に挿入される。円筒体寸法は限定的ではなく、利用者の鼻サイズに合わせて様々に構成することができる。例えば、図４において、円筒体の長さを１ｃｍ、内径Ｙを８ｍｍ、外径Ｘを１２ｍｍから１６ｍｍに構成することができる。
【００１２】
図５から図８にかけて図示する本考案の双円筒体型の第３実施例による鼻腔筋持ち上げ器は一方の円筒体１の下端周縁部３から他の円筒体１の下端周縁部３にまで延び出て両円筒体１を連結する連結体５を含んでいる。この連結体５の長さは少々湾曲形状で両円筒部１をそれぞれの鼻腔に挿入させる長さに設計される。それぞれの円筒体は前述の拡張部２を含み、それぞれの周縁部３からは突出体４が延び出している。
【００１３】
以上、本考案の鼻腔筋持ち上げ器を実施例に基づいて解説した。それらの変更や改良も本考案の範囲内である。本考案の真の範囲は請求の範囲に記載されたものである。
【図面の簡単な説明】
【００１４】
【図１】第１実施例の単円筒体型鼻腔筋持ち上げ器で使用される円筒体の斜視図である。
【図２】図１の円筒体の平面図である。
【図３】図１の円筒体の正面図である。
【図４】図３の円筒体のＥ−Ｅ線に沿った断面図である。
【図５】実施例３の双円筒体型鼻腔筋持ち上げ器で使用される円筒体の斜視図である。
【図６】図５の円筒体の平面図である。
【図７】図５の円筒体の正面図である。
【図８】図５の円筒体の側面図である。
【符号の説明】
【００１５】
１  中空円筒体
２  拡張部
３  周縁部
４  突出部
５  連結部